(57)【要約】【課題】取り忘れを防ぐことができる画像処理装置、ＰＯＳ端末、取り忘れ防止方法及びプログラムを提供する。【解決手段】実施形態の画像処理装置は、画像処理手段、判定手段、検知手段及び送信手段を含む。画像処理手段は、操作者の操作に基づいて画像処理を行う。判定手段は、前記操作者が操作を終了したことを判定する。検知手段は、前記操作者が操作を終了したことが前記判定手段によって判定された場合、前記操作者に取り忘れられた物があることを検知する。送信手段は、前記取り忘れられた物が前記検知手段によって検知された場合、取り忘れられた物があることを示すデータを予め定められた送信先に送信する。【選択図】図３
2018128989.tif 000002
【特許請求の範囲】
【請求項１】
操作者の操作に基づいて画像処理を行う画像処理手段と、
前記操作者が操作を終了したことを判定する判定手段と、
前記操作者が操作を終了したことが前記判定手段によって判定された場合、前記操作者に取り忘れられた物があることを検知する検知手段と、
前記取り忘れられた物が前記検知手段によって検知された場合、取り忘れられた物があることを報知させるためのデータを予め定められた送信先に送信する送信手段と、を具備する画像処理装置。
【請求項２】
前記予め定められた送信先は、ＰＯＳ端末である、請求項１に記載の画像処理装置。
【請求項３】
前記送信手段は、前記画像処理装置の状態を前記予め定められた送信先に送信する、請求項１又は請求項２に記載の画像処理装置。
【請求項４】
前記取り忘れられた物が前記検知手段によって検知された場合に、画像処理装置の設置施設を撮像して録画する録画手段の録画モードを、録画した動画を保存するモードに変更させる録画制御手段をさらに備える、請求項１乃至請求項３のいずれか１項に記載の画像処理装置。
【請求項５】
画像処理装置に取り忘れられた物があることを報知させるためのデータを受信する受信手段と、
前記データが前記受信手段によって受信された場合、前記画像処理装置において取り忘れられた物があることを報知するための報知動作を行わせる報知手段と、を具備する、ＰＯＳ端末。
【請求項６】
前記報知手段は、前記画像処理装置において取り忘れられた物があることを予め定められた携帯端末装置に報知させる、請求項５に記載のＰＯＳ端末。
【請求項７】
操作者の操作に基づいて画像処理装置による画像処理を行い、
前記操作者が前記画像処理装置の操作を終了したことを判定し、
前記操作者が前記画像処理装置の操作を終了したことを判定した場合、前記画像処理に関して前記操作者に取り忘れられている物があることを検知し、
前記取り忘れられている物を検知した場合、前記画像処理装置に取り忘れられた物があることを報知する、取り忘れ防止方法。
【請求項８】
前記取り忘れられている物を検知した場合、前記操作者を特定することが出来る情報を記憶し、
利用者が前記操作者と同一人物であることを判定し、
前記利用者が前記操作者と同一人物であると判定した場合、以前忘れ物をしていたことを報知する、請求項７に記載の取り忘れ防止方法。
【請求項９】
通信インターフェースを備えた端末装置が備えるコンピューターを、
画像処理装置に取り忘れられた物があることを示すデータを受信するように前記通信インターフェースを制御する受信制御手段と、
前記データが前記通信インターフェースによって受信された場合、前記画像処理装置において取り忘れられた物があることを報知するための報知動作を行わせる報知手段と、して機能させるためのプログラム。
【発明の詳細な説明】
【技術分野】
【０００１】
本発明の実施形態は、画像処理装置、ＰＯＳ端末、取り忘れ防止方法及びプログラムに関する。
【背景技術】
【０００２】
コンビニエンスストアなどの商店には、ＭＦＰ（multifunction peripheral）などの画像処理装置が置かれた店舗がある。このような店舗では、当該画像処理装置などにおいて、利用客による原稿などの取り忘れが発生することがある。従来の画像処理装置では、取り忘れをしないように促す表示を行ったり、ブザー音を鳴らしたりすることで、利用客に注意を促すことが行われている。しかしながら、このように注意を促されても取り忘れをしてしまう利用客が跡を絶たない。取り忘れられた原稿の中には、住民票又は保険証などの重要書類が含まれる場合もあり、悪意のある者に拾得されてしまうと悪用される危険性もある。
【先行技術文献】
【特許文献】
【０００３】
【特許文献１】特開昭６０−２６３２９号公報
【発明の概要】
【発明が解決しようとする課題】
【０００４】
以上のような事情もあり、取り忘れを減らすことが望まれている。
本発明の実施形態が解決しようとする課題は、取り忘れを防ぐことができる画像処理装置、ＰＯＳ端末、取り忘れ防止方法及びプログラムを提供することにある。
【課題を解決するための手段】
【０００５】
実施形態の画像処理装置は、画像処理手段、判定手段、検知手段及び送信手段を含む。画像処理手段は、操作者の操作に基づいて画像処理を行う。判定手段は、前記操作者が操作を終了したことを判定する。検知手段は、前記操作者が操作を終了したことが前記判定手段によって判定された場合、前記操作者に取り忘れられた物があることを検知する。送信手段は、前記取り忘れられた物が前記検知手段によって検知された場合、取り忘れられた物があることを示すデータを予め定められた送信先に送信する。
【図面の簡単な説明】
【０００６】
【図１】実施形態に係る店内システム及び当該店内システムに含まれる装置のそれぞれの要部回路構成を示すブロック図。
【図２】図１中の画像処理装置の外観の一例を示す模式図。
【図３】図１中の画像処理装置のＣＰＵによる制御処理のフローチャート。
【図４】図１中のＰＯＳ端末のＣＰＵによる制御処理のフローチャート。
【図５】図１中のＰＯＳ端末の表示デバイスの画面に表示される画像の一例を示す図。
【図６】図１中の画像処理装置のＣＰＵによる制御処理のフローチャート。
【図７】図１中のＰＯＳ端末の表示デバイスの画面に表示される画像の一例を示す図。
【発明を実施するための形態】
【０００７】
以下、実施形態に係る店内システムについて図面を用いて説明する。
図１は、実施形態に係る店内システム１及び店内システム１に含まれる装置のそれぞれの要部回路構成を示すブロック図である。店内システム１は、例えば、コンビニエンスストア、スーパーマーケット、店舗型印刷会社又はその他の商店などの店舗に設置される。店内システム１は、画像処理装置１００、ＰＯＳ（point of sales）端末２００、撮像装置３００、記憶装置４００、コインベンダー５００及びハンディターミナル６００を含む。画像処理装置１００、ＰＯＳ端末２００、撮像装置３００、記憶装置４００及びハンディターミナル６００は、ネットワークＮＷに接続されている。ネットワークＮＷは、典型的にはＬＡＮ（local area network）を含む。ネットワークＮＷは、ＷＡＮ（wide area network）を含んでも良い。ネットワークＮＷは、無線回線でも良いし有線回線でも良い。また、ネットワークＮＷは、無線回線と有線回線とが混在していても良い。なお、図１では、画像処理装置１００、ＰＯＳ端末２００、撮像装置３００、記憶装置４００、コインベンダー５００及びハンディターミナル６００は、それぞれ１台のみ示している。しかしながら、画像処理装置１００、ＰＯＳ端末２００、撮像装置３００、記憶装置４００、コインベンダー５００及びハンディターミナル６００の台数はそれぞれ１台に限定されるものではなく、画像処理装置１００、ＰＯＳ端末２００、撮像装置３００、記憶装置４００、コインベンダー５００及びハンディターミナル６００のそれぞれが任意の台数、店舗などに設置されても良い。
【０００８】
画像処理装置１００は、印刷、スキャン及びコピーなどの画像処理を行う。当該画像処理を行うとき、画像処理装置１００は、画像処理手段として機能する。画像処理装置１００は、例えば複合機（ＭＦＰ）又はマルチコピー機などである。画像処理装置１００は、利用客などによって操作される。画像処理装置１００は、要部回路構成として、ＣＰＵ（central processing unit）１０１、メインメモリ１０２、補助記憶デバイス１０３、通信インターフェース１０４、入力デバイス１０５、表示デバイス１０６、画像形成部１０７、画像読取部１０８、リーダーライター１０９及びバス１１０を含む。
【０００９】
ＣＰＵ１０１は、画像処理装置１００の動作に必要な処理及び制御を行うコンピューターの中枢部分に相当する。ＣＰＵ１０１は、メインメモリ１０２又は補助記憶デバイス１０３に記憶されたオペレーティングシステム又はアプリケーションソフトウェアなどのプログラムに基づいて、画像処理装置１００の各種の機能を実現するべく各部を制御する。
【００１０】
メインメモリ１０２は、上記コンピューターの主記憶部分に相当する。メインメモリ１０２は、オペレーティングシステム又はアプリケーションソフトウェアなどのプログラムを記憶する場合がある。また、メインメモリ１０２は、ＣＰＵ１０１が各種の処理を行う上で一時的に使用するデータを記憶しておく、いわゆるワークエリアとして利用される。
【００１１】
補助記憶デバイス１０３は、上記コンピューターの補助記憶部分に相当する。補助記憶デバイス１０３は、例えばＥＥＰＲＯＭ（electric erasable programmable read-only memory）、ＨＤＤ（hard disk drive）又はＳＳＤ（solid state drive）などである。補助記憶デバイス１０３は、上記のオペレーティングシステム又はアプリケーションソフトウェアなどのプログラムを記憶する場合がある。また、補助記憶デバイス１０３は、ＣＰＵ１０１が各種の処理を行う上で使用するデータ又はＣＰＵ１０１での処理によって生成されたデータなどを保存する。
【００１２】
メインメモリ１０２又は補助記憶デバイス１０３に記憶されるプログラムは、後述する、画像処理装置１００の制御処理に関して記述した制御プログラムを含む。一例として、画像処理装置１００は、制御プログラムがメインメモリ１０２又は補助記憶デバイス１０３に記憶された状態で画像処理装置１００の管理者などへと譲渡される。しかしながら、画像処理装置１００は、後述する制御処理に関して記述した制御プログラムがメインメモリ１０２又は補助記憶デバイス１０３に記憶されない状態で管理者などに譲渡されても良い。また、画像処理装置１００は、別の制御プログラムがメインメモリ１０２又は補助記憶デバイス１０３に記憶された状態で管理者などに譲渡されても良い。そして、後述する制御処理に関して記述した制御プログラムが別途に管理者などへと譲渡され、管理者又はサービスマンなどによる操作の下に補助記憶デバイス１０３へと書き込まれても良い。このときの制御プログラムの譲渡は、例えば、磁気ディスク、光磁気ディスク、光ディスク、半導体メモリなどのようなリムーバブルな記録媒体に記録して、あるいはネットワークを介したダウンロードにより実現できる。
【００１３】
通信インターフェース１０４は、画像処理装置１００がネットワークＮＷを介して通信するためのインターフェースである。
【００１４】
入力デバイス１０５は、画像処理装置１００の操作者による操作を受け付ける。入力デバイス１０５は、例えば、キーボード、キーパッド又はタッチパッドなどである。
表示デバイス１０６は、画像処理装置１００の操作者に各種情報を通知するための画面を表示する。表示デバイス１０６は、例えば、液晶ディスプレイ又は有機ＥＬ（electro-luminescence）ディスプレイなどのディスプレイである。また、表示デバイス１０６としては、タッチパッドに重ねて配置された表示パネルを用いることもできる。すなわち、タッチパネルが備える表示パネルを表示デバイス１０６として、タッチパネルが備えるタッチパッドを入力デバイス１０５として用いることができる。
【００１５】
画像形成部１０７は、紙等のシートなどに印刷を行うプリンターなどを備える。当該プリンターは、典型的にはレーザープリンターである。あるいは、当該プリンターは、インクジェットプリンターなどのその他のプリンターであっても良い。
【００１６】
画像読取部１０８は、画像を読み取るスキャナーを備える。当該スキャナーは、例えば、ＣＣＤ（charge-coupled device）イメージセンサーなどの撮像素子を備える光学縮小方式である。あるいは例えば、当該スキャナーは、ＣＭＯＳ（complementary metal-oxide-semiconductor）イメージセンサーなどの撮像素子を備える密着センサー（ＣＩＳ（contact image sensor））方式である。当該スキャナーは、その他公知の方式であっても良い。当該スキャナーは、これらの方式により、シートなどから画像を読み取る。
【００１７】
リーダーライター１０９は、ＵＳＢ（Universal Serial Bus）メモリ若しくはＳＤメモリカードなどのメモリカード、ＣＤ（Compact Disc）若しくはＤＶＤ（Digital Versatile Disc）などの光ディスク、又はその他の記憶媒体を挿入可能である。リーダーライター１０９は、記憶媒体からデータを読み取る、又は記憶媒体にデータを書き込む。また、リーダーライター１０９は、リーダーライター１０９に記憶媒体が挿入されていることを検知する。
【００１８】
バス１１０は、アドレスバス及びデータバスなどを含み、画像処理装置１００の各部で授受される信号を伝送する。
【００１９】
画像処理装置１００について、図２に基づいてさらに説明する。図２は、画像処理装置の外観の一例を示す模式図である。画像処理装置１００は、一例として、原稿台１２１、カバー１２２、原稿送り装置１２３、ＡＤＦ給紙トレイ１２４、ＡＤＦ排紙トレイ１２５、操作パネル１２６、給紙トレイ１２７、排紙トレイ１２８、中継装置１２９、フィニッシャー１３０及びフィニッシャー排紙トレイ１３１を含む。
【００２０】
原稿台１２１は、画像読取部１０８に画像を読み取らせたい原稿などを置くための台である。
【００２１】
カバー１２２は、開閉可能に設けられる。画像処理装置１００の操作者は、一般的に、原稿台１２１に原稿などを置く場合、カバー１２２を開き、原稿台１２１に原稿を置いた後カバー１２２を閉じる。閉じた状態のカバー１２２は、原稿台１２１に置かれた原稿などを押さえる。
【００２２】
原稿送り装置１２３は、ＡＤＦ給紙トレイに置かれたシート状の原稿を、自動的に給紙する。原稿送り装置１２３によって給紙された原稿は、画像読取部１０８によって画像が読み取られる。原稿送り装置１２３は、さらに、画像が読み取られた原稿をＡＤＦ排紙トレイ１２５に排紙する。原稿送り装置１２３は、ＤＦ（document feeder）又はＡＤＦ（auto document feeder）とも呼ばれる。
【００２３】
ＡＤＦ給紙トレイ１２４は、画像読取部１０８に画像を読み取らせたいシート状の原稿などを置くためのトレイである。ＡＤＦ給紙トレイ１２４は、センサー１２４１を備える。センサー１２４１は、ＡＤＦ給紙トレイ１２４上に原稿などが置かれていることを検知する。センサー１２４１は、例えば、原稿の重量により検知を行う重量センサーである。あるいは例えば、センサー１２４１は、光を用いて検知を行う光センサーである。センサー１２４１は、その他の公知のセンサーであっても良い。
【００２４】
ＡＤＦ排紙トレイ１２５は、原稿送り装置１２３から排紙された原稿が置かれるトレイである。ＡＤＦ排紙トレイ１２５は、センサー１２５１を備える。センサー１２５１は、ＡＤＦ排紙トレイ１２５上に原稿などが置かれていることを検知する。センサー１２５１は、センサー１２４１と同様に重量センサー、光センサー又はその他の公知のセンサーである。
【００２５】
操作パネル１２６は、画像処理装置１００の操作者が操作を行うために設けられる。操作パネル１２６は、入力デバイス１０５及び表示デバイス１０６を含む。
【００２６】
給紙トレイ１２７は、紙などのシートを収容するためのトレイである。給紙トレイ１２７に収容されたシートは、画像形成部１０７に搬送される。
【００２７】
排紙トレイ１２８は、画像形成部１０７によって印刷が行われたシートが排紙されるトレイである。排紙トレイ１２８は、センサー１２８１を備える。センサー１２８１は、排紙トレイ１２８上にシートなどが置かれていることを検知する。センサー１２８１は、センサー１２４１などと同様に重量センサー、光センサー又はその他の公知のセンサーである。
【００２８】
中継装置１２９は、フィニッシャー１３０を接続するための装置である。中継装置１２９は、着脱可能である。画像処理装置１００に中継装置１２９が取り付けられている場合、排紙トレイ１２８にはシートは排紙されず、中継装置１２９内に搬送される。中継装置１２９は、中継装置１２９内に搬送されたシートをフィニッシャー１３０内に搬送する。
【００２９】
フィニッシャー１３０は、中継装置１２９に接続される。フィニッシャー１３０は、着脱可能である。フィニッシャー１３０は、フィニッシャー１３０内に搬送されたシートに対して各種加工を行う。フィニッシャー１３０が行う加工は、例えば、折り加工、穴あけ、ステープル、断裁又は綴じ加工などである。フィニッシャー１３０は、加工後のシートをフィニッシャー排紙トレイ１３１に排紙する。あるいは、フィニッシャー１３０は、フィニッシャー１３０内に搬送されたシートを加工せずにそのままフィニッシャー排紙トレイ１３１に排紙する。
【００３０】
フィニッシャー排紙トレイ１３１は、フィニッシャー１３０から排紙されたシートなどが置かれるトレイである。フィニッシャー排紙トレイ１３１は、センサー１３１１を備える。センサー１３１１は、フィニッシャー排紙トレイ１３１上にシートなどが置かれていることを検知する。センサー１３１１は、センサー１２４１と同様に重量センサー、光センサー又はその他の公知のセンサーである。
【００３１】
図１に戻って店内システム１の説明を続ける。
ＰＯＳ端末２００は、決済対象となる商品の買上登録などのレジ業務などのために設置される。ＰＯＳ端末２００は、典型的にはＰＯＳシステム上の端末である。ＰＯＳ端末２００は店舗の店員などによって操作される。ＰＯＳ端末２００は、商品の買上登録に加えて登録された商品についての決済も行うことができても良い。あるいは、ＰＯＳ端末２００とは別に決済用の装置が店内などに設置されていても良い。すなわち、ＰＯＳ端末２００は、セミセルフ方式のチェックアウトシステムにおける登録装置であっても良い。ＰＯＳ端末２００は、端末装置の一例である。ＰＯＳ端末２００は、要部回路構成として、ＣＰＵ２０１、メインメモリ２０２、補助記憶デバイス２０３、通信インターフェース２０４、入力デバイス２０５、表示デバイス２０６及びバス２０７を含む。
【００３２】
ＣＰＵ２０１は、ＰＯＳ端末２００の動作に必要な処理及び制御を行うコンピューターの中枢部分に相当する。ＣＰＵ２０１は、メインメモリ２０２又は補助記憶デバイス２０３に記憶されたオペレーティングシステム又はアプリケーションソフトウェアなどのプログラムに基づいて、ＰＯＳ端末２００の各種の機能を実現するべく各部を制御する。
【００３３】
メインメモリ２０２は、上記コンピューターの主記憶部分に相当する。メインメモリ２０２は、オペレーティングシステム又はアプリケーションソフトウェアなどのプログラムを記憶する場合がある。また、メインメモリ２０２は、ＣＰＵ２０１が各種の処理を行う上で一時的に使用するデータを記憶しておく、いわゆるワークエリアとして利用される。
【００３４】
補助記憶デバイス２０３は、上記コンピューターの補助記憶部分に相当する。補助記憶デバイス２０３は、例えばＥＥＰＲＯＭ、ＨＤＤ又はＳＳＤなどである。補助記憶デバイス２０３は、上記のオペレーティングシステム又はアプリケーションソフトウェアなどのプログラムを記憶する場合がある。また、補助記憶デバイス２０３は、ＣＰＵ２０１が各種の処理を行う上で使用するデータ又はＣＰＵ２０１での処理によって生成されたデータなどを保存する。また、補助記憶デバイス２０３は、買上商品として登録された商品のリストである商品リストも記憶する。あるいは、メインメモリ２０２が、上記商品リストを記憶しても良い。さらに、補助記憶デバイス２０３は、店舗で販売されている商品についての商品コード、商品名及び金額などの各種情報を含む商品データベースなども記憶する。
【００３５】
メインメモリ２０２又は補助記憶デバイス２０３に記憶されるプログラムは、後述する、ＰＯＳ端末２００の制御処理に関して記述した制御プログラムを含む。一例として、ＰＯＳ端末２００は、制御プログラムがメインメモリ２０２又は補助記憶デバイス２０３に記憶された状態でＰＯＳ端末２００の管理者などへと譲渡される。しかしながら、ＰＯＳ端末２００は、後述する制御処理に関して記述した制御プログラムがメインメモリ２０２又は補助記憶デバイス２０３に記憶されない状態で管理者などに譲渡されても良い。また、ＰＯＳ端末２００は、別の制御プログラムがメインメモリ２０２又は補助記憶デバイス２０３に記憶された状態で管理者などに譲渡されても良い。そして、後述する制御処理に関して記述した制御プログラムが別途に管理者などへと譲渡され、管理者又はサービスマンなどによる操作の下に補助記憶デバイス２０３へと書き込まれても良い。このときの制御プログラムの譲渡は、例えば、磁気ディスク、光磁気ディスク、光ディスク、半導体メモリなどのようなリムーバブルな記録媒体に記録して、あるいはネットワークを介したダウンロードにより実現できる。
【００３６】
通信インターフェース２０４は、ＰＯＳ端末２００がネットワークＮＷを介して通信するためのインターフェースである。
【００３７】
入力デバイス２０５は、ＰＯＳ端末２００の操作者による操作を受け付ける。入力デバイス２０５は、例えば、キーボード、キーパッド又はタッチパッドなどである。
表示デバイス２０６は、ＰＯＳ端末２００の操作者に各種情報を通知するための画面を表示する。表示デバイス２０６は、例えば、液晶ディスプレイ又は有機ＥＬディスプレイなどのディスプレイである。また、表示デバイス２０６としては、タッチパッドに重ねて配置された表示パネルを用いることもできる。すなわち、タッチパネルが備える表示パネルを表示デバイス２０６として、タッチパネルが備えるタッチパッドを表示デバイス２０６として用いることができる。
【００３８】
バス２０７は、アドレスバス及びデータバスなどを含み、ＰＯＳ端末２００の各部で授受される信号を伝送する。
【００３９】
撮像装置３００は、店内を撮像する。撮像装置３００は、画像処理装置１００を含まない範囲を撮像しても良いし、画像処理装置１００の一部又は全部を含む範囲を撮像しても良い。なお、撮像装置３００の撮像する範囲が画像処理装置１００の一部又は全部を含む場合、当該範囲は、リーダーライター１０９、原稿台１２１、ＡＤＦ給紙トレイ１２４、ＡＤＦ排紙トレイ１２５、排紙トレイ１２８及びフィニッシャー排紙トレイ１３１などの取り忘れが発生する場所を含むことが好ましい。撮像装置３００は、撮像した動画を出力する。撮像装置３００は、例えば、動画を撮影するビデオカメラである。撮像装置３００は、防犯カメラ又は監視カメラなどとしての用途を兼ねていることが好ましい。
【００４０】
記憶装置４００は、撮像装置３００から出力された動画又は動画データの記憶を行うことで録画を行う。記憶装置４００は、例えば、ビデオデープレコーダー、ＨＤＤ、ＳＳＤ、メモリーカードリーダーライター、又は光学ドライブなどである。なお、記憶装置４００は、ネットワークＮＷを介さずに撮像装置３００に接続されたものであっても良い。記憶装置４００は、撮像装置３００と一体となったもの、撮像装置３００に内蔵されたものであってもよい。また、記憶装置４００は、ＰＯＳ端末２００と一体となったもの又はＰＯＳ端末２００に内蔵されたものであっても良い。あるいは、記憶装置４００は、画像処理装置１００と一体となったもの又は画像処理装置１００に内蔵されたものであっても良い。
撮像装置３００と記憶装置４００とは、協働して、画像処理装置の設置施設を録画する録画手段として機能する。
【００４１】
記憶装置４００は第１のモード及び第２のモードの少なくとも２つのモードでの動作が可能である。記憶装置４００は、例えば、以下の（Ａ）〜（Ｃ）のいずれかのように動作する。
（Ａ）
記憶装置４００（Ａ）は、第１のモードでは、撮像装置３００から出力された動画を常時録画する。そして、記憶装置４００（Ａ）は、例えば、記憶容量が一杯になれば古い方から上書きしていくなどして常時録画を継続する。
記憶装置４００（Ａ）は、第２のモードでは、第１のモードと同様に録画を行う。ただし、例えば、記憶装置４００（Ａ）は、第２のモードで動作している間の動画を、上書きできないようにする。あるいは例えば、記憶装置４００（Ａ）は、第２のモードで動作している間の動画を別に保存する。なお、記憶装置４００（Ａ）は、第２のモードで動作している間に限らず、第２のモードで動作し始めた時点から予め定められた時間だけ遡った時点を始点として動画を上書きできないように、又は別に保存しても良い。また、記憶装置４００（Ａ）は、第２のモードで録画するときの動画の画質及びフレームレートの少なくとも一方を、第１のモードで録画するときより上げても良い。
（Ｂ）
記憶装置４００（Ｂ）は、第１のモードでは、録画を行わない。
記憶装置４００（Ｂ）は、第２のモードでは、録画を行う。なお、記憶装置４００（Ｂ）は、第２のモードで録画した動画を、上書きできないようにすることが好ましい。
（Ｃ）
記憶装置４００（Ｃ）は、第１のモードと第２のモードとどちらも同じように録画を行う。ただし、記憶装置４００（Ｃ）は、第２のモードでは、第２のモードで動作していた間に録画していた部分がどの部分であるか分かるようにする。
【００４２】
コインベンダー５００は、画像処理装置１００に接続される。コインベンダー５００は、画像処理装置１００が行う各種処理へ課金するために設置される。画像処理装置１００の操作者などは、コインベンダー５００に紙幣又は硬貨などの通貨を投入する。画像処理装置１００は、コインベンダー５００に投入された金額の範囲内で、操作者による操作に基づいて各種処理を行う。
また、コインベンダー５００は、精算を行う。すなわち、利用客などによる操作に基づいて、投入された金額から、画像処理装置１００が行った各種処理に応じた金額の合計を差し引いた金額を、釣銭として排出する。そして、コインベンダー５００は、必要に応じて領収書などの発行を行う。
なお、コインベンダー５００は、紙幣及び硬貨に代えて、あるいは紙幣及び硬貨に加えてＩＣカードなどの電子マネーを用いることができるものであっても良い。
【００４３】
ハンディターミナル６００は、店舗の店員などによって操作される。ハンディターミナル６００は、店員が携帯して使用するための端末である。ハンディターミナル６００は、一例として、ＰＯＳシステム上の端末である。ハンディターミナル６００は、例えば、検品、品出し又は棚卸しなどの業務のために使用される。ハンディターミナル６００とネットワークＮＷとの間の通信には無線通信が用いられる。ハンディターミナル６００は、ハンディターミナル６００の操作者に各種情報を通知するための表示デバイスを備える。当該表示デバイスは、例えば、液晶ディスプレイ又は有機ＥＬディスプレイなどのディスプレイである。ハンディターミナル６００は、ハンディターミナル６００としての専用の端末であっても良いし、既存のタブレットＰＣ（personal computer）又はスマートフォンなどを利用したものであっても良い。ハンディターミナル６００は、携帯端末装置の一例である。
【００４４】
以下、実施形態に係る店内システム１の動作を図３〜図７に基づいて説明する。なお、以下の動作説明における処理の内容は一例であって、同様な結果を得ることが可能な様々な処理を適宜に利用できる。図３は、画像処理装置１００のＣＰＵ１０１による制御処理のフローチャートである。ＣＰＵ１０１は、メインメモリ１０２又は補助記憶デバイス１０３に記憶された制御プログラムに基づいてこの制御処理を実行する。図４は、ＰＯＳ端末２００のＣＰＵ２０１による制御処理のフローチャートである。ＣＰＵ２０１は、メインメモリ２０２又は補助記憶デバイス２０３に記憶された制御プログラムに基づいてこの制御処理を実行する。
【００４５】
図３のＡｃｔ１において画像処理装置１００のＣＰＵ１０１は、画像処理装置１００の使用が開始されるのを待ち受けている。使用が開始されたことを判定する方法として、以下にいくつか例示する。ＣＰＵ１０１は、例えばコインベンダー５００に料金が投入された場合に、使用が開始されたと判定する。あるいは例えば、ＣＰＵ１０１は、入力デバイス１０５に対して何らかの操作が行われた場合に、使用が開始されたと判定する。あるいは例えば、ＣＰＵ１０１は、カバー１２２が開けられた場合又はＡＤＦ給紙トレイ１２４に原稿などが載せられたことがセンサー１２４１によって検知された場合に、使用が開始されたと判定する。あるいは例えば、ＣＰＵ１０１は、利用客が画像処理装置１００の前に立った場合に、使用が開始されたと判定する。なお、利用客が画像処理装置１００の前に立ったことの検知は、例えば、図示しないモーションセンサーなどのセンサーを用いる。あるいは例えば、ＣＰＵ１０１は、撮像装置３００によって撮像された動画を解析することで、利用客が画像処理装置１００の前に立ったこと検知する。ＣＰＵ１０１は、画像処理装置１００の使用が開始されたならば、Ａｃｔ１においてＹｅｓと判定してＡｃｔ２へと進む。
なお、以上、使用が開始されたと判定する方法をいくつか例示したが、ＣＰＵ１０１は、上記に例示したような方法を複数種類行っても良い。そして、当該複数の方法のうち少なくともいずれか１つの方法で使用が開始されたと判定したならば、Ａｃｔ１においてＹｅｓと判定してＡｃｔ２へと進む。
【００４６】
Ａｃｔ２においてＣＰＵ１０１は、画像処理装置１００の使用が終了されるのを待ち受けている。使用が終了されたことを判定する方法として、以下にいくつか例示する。ＣＰＵ１０１は、例えばコインベンダー５００が精算を開始した場合に、使用が終了されたと判定する。あるいは例えば、ＣＰＵ１０１は、コインベンダー５００が精算を終了した場合に、使用が終了されたと判定する。あるいは例えば、ＣＰＵ１０１は、画像処理装置１００の操作者などによって、入力デバイス１０５に対して終了を指示する操作が行われた場合に、使用が終了されたと判定する。あるいは例えば、ＣＰＵ１０１は、利用客が画像処理装置１００の前から離れた場合に、使用が終了されたと判定する。なお、利用客が画像処理装置１００の前から離れたことの検知は、例えば、図示しないモーションセンサーなどのセンサーを用いる。あるいは例えば、ＣＰＵ１０１は、撮像装置３００によって撮像された動画を解析することで、利用客が画像処理装置１００の前から離れたことを検知する。ＣＰＵ１０１は、画像処理装置１００の使用が終了されたならば、Ａｃｔ２においてＹｅｓと判定してＡｃｔ３へと進む。
なお、以上、使用が終了されたと判定する方法をいくつか例示したが、ＣＰＵ１０１は、上記に例示したような方法を複数種類行っても良い。そして、当該複数の方法のうち少なくともいずれか１つの方法で使用が終了されたと判定したならば、Ａｃｔ２においてＹｅｓと判定してＡｃｔ３へと進む。
以上より、Ａｃｔ２の処理を行うことで、ＣＰＵ１０１を中枢とするコンピューターは、操作者が操作を終了したことを判定する判定手段として機能する。
なお、ＣＰＵ１０１は、印刷、スキャン及びコピーなどの各種動作を制御する処理を、Ａｃｔ２の処理とは別スレッドで実行するなどしてＡｃｔ２の処理と並行して行う。
【００４７】
Ａｃｔ３においてＣＰＵ１０１は、忘れ物が検知されるか否かの判定を行う。ＣＰＵ１０１は、例えば次のように忘れ物の検知を行う。
例えば、ＣＰＵ１０１は、Ａｃｔ２と並行して行った処理において、原稿台１２１に置かれた原稿などをスキャンするための処理を行っていた場合、その後にカバー１２２が開けられなかったならば、原稿台１２１上の当該原稿などが取り忘れられていると判定する。
また例えば、ＣＰＵ１０１は、センサー１２４１、センサー１２５１、センサー１２８１又はセンサー１３１１が反応している場合、当該センサーが設置されているトレイに取り忘れがあると判定する。すなわち、反応しているセンサーがセンサー１２４１であればＡＤＦ給紙トレイ、センサー１２５１であればＡＤＦ排紙トレイ、センサー１２８１であれば排紙トレイ１２８、センサー１３１１であればフィニッシャー排紙トレイ１３１に取り忘れられた物があると判定する。
また例えば、ＣＰＵ１０１は、リーダーライター１０９に記憶媒体が挿入されているならば、当該記憶媒体が取り忘れられていると判定する。
ＣＰＵ１０１は、忘れ物が検知されないならば、Ａｃｔ３においてＮｏと判定してＡｃｔ１へともどる。そして、ＣＰＵ１０１は、忘れ物が検知されたならば、Ａｃｔ３においてＹｅｓと判定してＡｃｔ４へと進む。
以上より、Ａｃｔ３の処理を行うことで、ＣＰＵ１０１を中枢とするコンピューターは、操作者に取り忘れられた物があることを検知する検知手段として機能する。
【００４８】
Ａｃｔ４においてＣＰＵ１０１は、忘れ物が検知されたことを、予め定められた送信先であるＰＯＳ端末２００の操作者に報知させるため、報知コマンドを生成する。報知コマンドは、忘れ物が検知された箇所（例えば原稿台１２１など）を示す情報を含む。そして、ＣＰＵ１０１は、生成した当該報知コマンドをＰＯＳ端末２００に送信するように通信インターフェース１０４に対して指示する。この指示を受けて通信インターフェース１０４は、当該報知コマンドをＰＯＳ端末２００に送信する。送信された当該報知コマンドは、ＰＯＳ端末２００の通信インターフェース２０４によって受信される。以上より、Ａｃｔ４の処理を行うことで、ＣＰＵ１０１を中枢とするコンピューターは、通信インターフェース１０４と協働して、取り忘れられた物があることを報知させるためのデータを予め定められた送信先に送信する送信手段として機能する。
【００４９】
一方、図４のＡｃｔ２１においてＰＯＳ端末２００のＣＰＵ２０１は、通信インターフェース２０４によって報知コマンドが受信されたか否かを確認する。ＣＰＵ２０１は、報知コマンドが受信されないならば、Ａｃｔ２１においてＮｏと判定してＡｃｔ２２へと進む。したがって、Ａｃｔ２１の処理を行うことで、ＣＰＵ２０１を中枢とするコンピューターは、通信インターフェース２０４と協働して画像処理装置に取り忘れられた物があることを報知させるためのデータを受信する受信手段として機能する。また、このとき、ＣＰＵ２０１を中枢とするコンピューターは通信インターフェース２０４を制御する受信制御手段として機能する。
【００５０】
Ａｃｔ２２においてＣＰＵ２０１は、通信インターフェース２０４によって状態コマンドが受信されたか否かを確認する。ＣＰＵ２０１は、状態コマンドが受信されないならば、Ａｃｔ２２においてＮｏと判定してＡｃｔ２１へと戻る。かくして、ＣＰＵ２０１は、報知コマンド又は状態コマンドが受信されるまでＡｃｔ２１及びＡｃｔ２２を繰り返す。なお、状態コマンドについては後述する。
【００５１】
ＣＰＵ２０１は、Ａｃｔ２１及びＡｃｔ２２の待受状態にあるときに終了コマンドが受信されたならば、Ａｃｔ２１においてＹｅｓと判定してＡｃｔ２３へと進む。
Ａｃｔ２３においてＣＰＵ２０１は、画像処理装置１００で忘れ物が検知されたことを報知するために、図５に示すような報知画面ＳＣ１に対応した画像を生成する。そして、ＣＰＵ２０１は、生成したこの画像を表示するように表示デバイス２０６に対して指示する。この指示を受けて表示デバイス２０６は、報知画面ＳＣ１を表示する。
【００５２】
図５は、報知画面ＳＣ１の一例を示す図である。報知画面ＳＣ１は領域Ａ１を含む。領域Ａ１は、画像処理装置１００で忘れ物が検知されたことを報知するために表示される。領域Ａ１は、例えば、ポップアップとして表示される。領域Ａ１は、文字列ＳＴ１及びボタンＢ１を含む。文字列ＳＴ１は、画像処理装置１００で忘れ物が検知されたことを示す。また、文字列ＳＴ１は、忘れ物が検知された箇所を示す。文字列ＳＴ１は、一例として、「コピー機で忘れ物が発生しています。確認して下さい。（発生箇所：原稿台）」のような文字列である。ボタンＢ１は、報知画面ＳＣ１の表示の終了を指示する場合に、ＰＯＳ端末２００の操作者が操作するためのボタンである。なお、図５には領域Ａ２も図示しているが、領域Ａ２については後述する。
以上より、Ａｃｔ２３の処理を行うことで、ＣＰＵ２０１を中枢とするコンピューターは、画像処理装置において取り忘れられた物があることを店員に報知するための報知動作を行わせる報知手段として機能する。
【００５３】
ＣＰＵ２０１は、Ａｃｔ２３の処理の後Ａｃｔ２４へと進む。
Ａｃｔ２４においてＣＰＵ２０１は、忘れ物が検知されたことをハンディターミナル６００の操作者に報知させるため、携帯コマンドを生成する。携帯コマンドは、忘れ物が検知された箇所（例えば原稿台１２１など）を示す情報を含む。そして、ＣＰＵ２０１は、生成した当該携帯コマンドをハンディターミナル６００に送信するように通信インターフェース２０４に対して指示する。この指示を受けて通信インターフェース２０４は、当該携帯コマンドをハンディターミナル６００に送信する。送信された当該携帯コマンドは、ハンディターミナル６００によって受信される。
携帯コマンドを受信したハンディターミナル６００は、画像処理装置１００で忘れ物が検知されたことを報知する内容を含む画面を表示デバイスに表示する。
以上より、Ａｃｔ２４の処理を行うことで、ＣＰＵ２０１を中枢とするコンピューターは、画像処理装置において取り忘れられた物があることを店員に報知するための報知動作を行わせる報知手段として機能する。
【００５４】
一方、画像処理装置１００のＣＰＵ１０１は、図３のＡｃｔ４の処理の後、Ａｃｔ５へと進む。
Ａｃｔ５においてＣＰＵ１０１は、忘れ物が検知されたことを画像処理装置１００の操作者に報知するための報知動作を開始させる。すなわち例えば、ＣＰＵ１０１は、表示デバイス１０６に、忘れ物が検知された旨を表示させる。また例えば、ＣＰＵ１０１は、図示しないスピーカーなどに、忘れ物が検知されたことを画像処理装置１００の操作者に気付かせるために、ブザー音又は音声などを鳴らさせる。ＣＰＵ１０１は、Ａｃｔ５の処理の後、Ａｃｔ６へと進む。
【００５５】
Ａｃｔ６においてＣＰＵ１０１は、Ａｃｔ３と同様にして忘れ物が検知されるか否かの判定を行う。ＣＰＵ１０１は、忘れ物が検知されないならば、Ａｃｔ６においてＹｅｓと判定してＡｃｔ７へと進む。例えば、忘れ物をしていることに気付いた忘れ物の持ち主によって、当該忘れ物が画像処理装置１００から取り除かれることで忘れ物が検知されなくなる。あるいは例えば、忘れ物の持ち主以外の者によって、当該忘れ物が画像処理装置１００から取り除かれることで忘れ物が検知されなくなる。
【００５６】
Ａｃｔ７においてＣＰＵ１０１は、Ａｃｔ１と同様にして画像処理装置１００の使用が開始されたか否かを確認する。ＣＰＵ１０１は、画像処理装置１００の使用が開始されないならば、Ａｃｔ７においてＮｏと判定してＡｃｔ６へと戻る。かくして、ＣＰＵ１０１は、忘れ物が検知されなくなるか、画像処理装置１００の使用が開始されるまでＡｃｔ６及びＡｃｔ７を繰り返す。
【００５７】
ＣＰＵ１０１は、Ａｃｔ６及びＡｃｔ７の待受状態にあるときに忘れ物が検知されなくなったならば、Ａｃｔ６においてＮｏと判定してＡｃｔ８へと進む。
【００５８】
Ａｃｔ８においてＣＰＵ１０１は、忘れ物が検知されなくなったことをＰＯＳ端末２００に通知するために、終了コマンドを生成する。そして、ＣＰＵ１０１は、生成した当該終了コマンドをＰＯＳ端末２００に送信するように通信インターフェース１０４に対して指示する。この指示を受けて通信インターフェース１０４は、当該終了コマンドをＰＯＳ端末２００に送信する。送信された当該終了コマンドは、ＰＯＳ端末２００の通信インターフェース２０４によって受信される。
【００５９】
一方、ＰＯＳ端末２００のＣＰＵ２０１は、図４のＡｃｔ２４の処理の後、Ａｃｔ２５へと進む。
Ａｃｔ２５においてＣＰＵ２０１は、通信インターフェース２０４によって終了コマンドが受信されたか否かを確認する。ＣＰＵ２０１は、終了コマンドが受信されないならば、Ａｃｔ２５においてＮｏと判定してＡｃｔ２６へと進む。
【００６０】
Ａｃｔ２６においてＣＰＵ２０１は、報知画面ＳＣ１の表示を終了する操作が行われたか否かを確認する。すなわち、ＣＰＵ２０１は、ボタンＢ１を操作するなどの予め定められた操作が行われたか否かを確認する。ＣＰＵ２０１は、報知画面ＳＣ１の表示を終了する操作が行われないならば、Ａｃｔ２６においてＮｏと判定してＡｃｔ２７へと進む。
【００６１】
Ａｃｔ２７においてＣＰＵ２０１は、Ａｃｔ２２と同様に状態コマンドが受信されたか否かを確認する。ＣＰＵ２０１は、状態コマンドが受信されないならば、Ａｃｔ２７においてＮｏと判定してＡｃｔ２５へと戻る。かくして、ＣＰＵ２０１は、報知コマンド又は状態コマンドが受信されるか、報知画面ＳＣ１の表示を終了する操作が行われるまでＡｃｔ２５〜Ａｃｔ２７を繰り返す。なお、状態コマンドについては後述する。
【００６２】
ＣＰＵ２０１は、Ａｃｔ２５〜Ａｃｔ２７の待受状態にあるときに終了コマンドが受信されたならば、Ａｃｔ２５においてＹｅｓと判定してＡｃｔ２８へと進む。また、ＣＰＵ２０１は、Ａｃｔ２３〜Ａｃｔ２７の待受状態にあるときに報知画面ＳＣ１の表示を終了する操作が行われたならば、Ａｃｔ２６においてＹｅｓと判定してＡｃｔ２８へと進む。
【００６３】
Ａｃｔ２８においてＣＰＵ２０１は、報知画面ＳＣ１の表示を終了させる。すなわち、ＣＰＵ２０１は、領域Ａ１を含まない画面に対応した画像を生成する。そして、ＣＰＵ２０１は、生成したこの画像を表示するように表示デバイス２０６に対して指示する。この指示を受けて表示デバイス２０６は、当該画像に基づいた画面を表示する。ＣＰＵ２０１は、Ａｃｔ２８の処理の後、Ａｃｔ２１へと戻る。
【００６４】
一方、画像処理装置１００のＣＰＵ１０１は、図３のＡｃｔ８の処理の後、Ａｃｔ９へと進む。
Ａｃｔ９においてＣＰＵ１０１は、Ａｃｔ５において開始させた報知動作を終了させる。ＣＰＵ１０１は、Ａｃｔ９の処理の後、Ａｃｔ１へと戻る。
【００６５】
また、ＣＰＵ１０１は、Ａｃｔ６及びＡｃｔ７の待受状態にあるときに画像処理装置１００の使用が開始されたならば、Ａｃｔ７においてＹｅｓと判定してＡｃｔ１０へと進む。
Ａｃｔ１０においてＣＰＵ１０１は、録画コマンドを生成する。そして、ＣＰＵ１０１は、生成した当該録画コマンドを予め定められた送信先である記憶装置４００に送信するように通信インターフェース１０４に対して指示する。この指示を受けて通信インターフェース１０４は、当該録画コマンドを記憶装置４００に送信する。送信された当該録画コマンドは、記憶装置４００によって受信される。
録画コマンドを受信した記憶装置４００は、第１のモードでの動作から第２のモードでの動作に移行する。
以上より、Ａｃｔ１０の処理を行うことで、ＣＰＵ１０１を中枢とするコンピューターは、画像処理装置を撮像して録画する録画手段の録画モードを、録画した動画を保存するモードに変更させる録画制御手段として機能する。
【００６６】
ＣＰＵ１０１は、Ａｃｔ１０の処理の後、Ａｃｔ１１へと進む。
Ａｃｔ１１においてＣＰＵ１０１は、Ａｃｔ２と同様にして、画像処理装置１００の使用が終了されるのを待ち受けている。ＣＰＵ１０１は、画像処理装置１００の使用が終了されたならばＡｃｔ１２へと進む。Ａｃｔ１１の処理を行うことで、ＣＰＵ１０１を中枢とするコンピューターは、操作者が操作を終了したことを判定する判定手段として機能する。
【００６７】
Ａｃｔ１２においてＣＰＵ１０１は、停止コマンドを生成する。そして、ＣＰＵ１０１は、生成した当該停止コマンドを記憶装置４００に送信するように通信インターフェース１０４に対して指示する。この指示を受けて通信インターフェース１０４は、当該停止コマンドを記憶装置４００に送信する。送信された当該停止コマンドは、記憶装置４００によって受信される。
停止コマンドを受信した記憶装置４００は、第２のモードでの動作から第１のモードでの動作に移行する。
ＣＰＵ１０１は、Ａｃｔ１２の処理の後、Ａｃｔ３へと戻る。
【００６８】
画像処理装置１００のＣＰＵ１０１は、図６に示す制御処理を、図３に示す制御処理とは別スレッドで実行するなどして、図３に示す制御処理と並行して行う。図６は、画像処理装置１００のＣＰＵ１０１による制御処理のフローチャートである。
【００６９】
図６のＡｃｔ３１において画像処理装置１００のＣＰＵ１０１は、画像処理装置１００の状態が変化するのを待ち受けている。ＣＰＵ１０１は、画像処理装置１００の状態が変化したならば、Ａｃｔ３１においてＹｅｓと判定してＡｃｔ３２へと進む。なお、画像処理装置１００の状態については、後述する。
【００７０】
Ａｃｔ３２においてＣＰＵ１０１は、Ａｃｔ３１において変化を確認した画像処理装置１００の状態を示す情報を含む状態コマンドを生成する。そして、ＣＰＵ１０１は、生成した当該状態コマンドをＰＯＳ端末２００に送信するように通信インターフェース１０４に対して指示する。この指示を受けて通信インターフェース１０４は、当該状態コマンドをＰＯＳ端末２００に送信する。送信された当該状態コマンドは、ＰＯＳ端末２００の通信インターフェース２０４によって受信される。ＣＰＵ１０１は、Ａｃｔ３２の処理の後、Ａｃｔ１へと戻る。
なお、画像処理装置１００の状態とは、箇条書きにより例示すると以下のようなものである。
・画像処理装置１００が使用中である（空いていない）。
・画像処理装置１００が使用されていない（空いている）。
・コピー、プリント又はスキャン等の待機中である。
・コピー、プリント又はスキャン等を行っている。
・精算中である。
・エラーが発生している。
以上より、Ａｃｔ３２の処理を行うことで、ＣＰＵ１０１を中枢とするコンピューターは、通信インターフェース１０４と協働して、画像処理装置の状態を予め定められた送信先に送信する送信手段として機能する。
【００７１】
一方、ＰＯＳ端末２００のＣＰＵ２０１は、図４のＡｃｔ２１及びＡｃｔ２２の待受状態において状態コマンドが受信されたならば、Ａｃｔ２２においてＹｅｓと判定してＡｃｔ２９へと進む。
Ａｃｔ２９においてＣＰＵ２０１は、状態コマンドに含まれる画像処理装置１００の状態を報知するために、図７に示すような状態画面ＳＣ２に対応した画像を生成する。そして、ＣＰＵ２０１は、生成したこの画像を表示するように表示デバイス２０６に対して指示する。この指示を受けて表示デバイス２０６は、状態画面ＳＣ２を表示する。ＣＰＵ２０１は、Ａｃｔ２９の処理の後、Ａｃｔ２１へと戻る。
【００７２】
図７は、状態画面ＳＣ２の一例を示す図である。状態画面ＳＣ２は、領域Ａ２を含む。領域Ａ２は、画像処理装置１００が現在どのような状態にあるかを示す文字列などが表示される。領域Ａ２には、一例として「ＭＦＰ１：使用中（コピー中）」のように表示される。このうち、「ＭＦＰ１」は、画像処理装置１００を識別する名称である。画像処理装置１００が店内に複数台設定されているような場合には、例えば、「ＭＦＰ１」、「ＭＦＰ２」、……のようにそれぞれを識別する名称が表示される。「使用中（コピー中）」の部分が、「ＭＦＰ１」で識別される画像処理装置１００の状態を示す。
【００７３】
また、ＣＰＵ２０１は、Ａｃｔ２５〜Ａｃ２６の待受状態において状態コマンドが受信されたならば、Ａｃｔ２７においてＹｅｓと判定してＡｃｔ３０へと進む。
Ａｃｔ３０においてＣＰＵ２０１は、Ａｃｔ２９と同様の動作を行う。Ａｃｔ３０において表示される状態画面は、例えば、図５に示す報知画面ＳＣ１のような画面である。ここで表示される報知画面ＳＣ１は、領域Ａ１及び領域Ａ２を含む。ＣＰＵ２０１は、Ａｃｔ３０の処理の後、Ａｃｔ２５へと戻る。
【００７４】
実施形態の店内システム１によれば、画像処理装置１００は、操作者が画像処理装置１００の使用を終了した場合に、操作者によって取り忘れられた物を検知する。そして、画像処理装置１００は、操作者によって取り忘れられた物を検知したならば、取り忘れられた物があることを示す報知コマンドを予め定められた送信先であるＰＯＳ端末２００に送信する。報知コマンドを受け取ったＰＯＳ端末２００は、当該報知コマンドに基づいて、取り忘れられた物があることを報知することができる。そして、当該報知に気付いた店員は、取り忘れられた物があることを操作者に伝えることができる。このようにして、画像処理装置１００は、取り忘れを防止することができる。また、予め定められた送信先がＰＯＳ端末２００であることで、店員が報知に気付きやすい。
【００７５】
また、実施形態の店内システム１によれば、画像処理装置１００は、画像処理装置１００の状態を示す状態コマンドを予め定められた送信先であるＰＯＳ端末２００に送信する。状態コマンドを受け取ったＰＯＳ端末２００は、当該状態コマンドに基づいて画像処理装置１００の状態を報知する。当該報知により、店員は、画像処理装置１００の状態を知ることできる。これにより、店員は、操作者が画像処理装置１００の使用を終了しそうであることなどが分かるため、取り忘れが発生した場合などにおいて、画像処理装置１００の状態を知らない場合に比べて迅速に対応することが可能である。
【００７６】
また、実施形態の店内システム１によれば、画像処理装置１００は、取り忘れが発生しているときに、画像処理装置１００の使用が開始された場合、記憶装置４００の録画モードを第１のモードから第２のモードに変更させる。記憶装置４００は、第２のモードで動作している場合、録画した動画を上書き禁止にする、又は録画した動画を別に保存する。これにより、記憶装置４００には、重要な部分、例えば忘れ物を持ち去った人物が映っている場面の動画が保存される。なお、撮像装置３００が画像処理装置１００の一部又は全部を含む範囲を撮像している場合には、忘れ物を持ち去る瞬間などの重要な場面が映っている可能性が高い。特に、撮像装置３００の撮像する範囲が、画像処理装置１００の取り忘れが発生する場所を含む場合には、忘れ物自体が映っている可能性が高い。
また、実施形態の店内システム１によれば、記憶装置４００は、第２モードでの動作時、第１モードでの動作時よりも画質及びフレームレートの少なくとも一方を向上させる場合がある。防犯カメラなどにおいて常時録画する場合、録画容量の節約又は録画時間の延長のために動画の画質及びフレームレートの少なくとも一方を下げている場合がある。第２のモードだけ画質及びフレームレートの少なくとも一方を上げることで、録画容量の節約又は録画時間の延長は維持しつつ、重要な部分、例えば忘れ物を持ち去った人物が映っている場面の画質及びフレームレートの少なくとも一方を上げることができる。
【００７７】
また、実施形態の店内システム１によれば、ＰＯＳ端末２００は、画像処理装置１００で忘れ物が検知されたことを報知するようにハンディターミナル６００を制御する。したがって、店員は、バックヤード、倉庫又は売り場などにいる場合、すなわちレジ業務を行っていない場合などであっても、ハンディターミナル６００を携帯していれば、忘れ物が画像処理装置１００で検知されたことを知ることができる。
【００７８】
上記の実施形態は以下のような変形も可能である。
上記の実施形態において画像処理装置１００が行う処理の一部は、ＰＯＳ端末２００によって行われても良い。あるいは、上記の実施形態において画像処理装置１００が行う処理の一部は、画像処理装置１００とＰＯＳ端末２００とが協働することによって行われても良い。
上記の実施形態においてＰＯＳ端末２００が行う処理は、ＰＣ又はサーバーなどの図示しないコンピューターによって行われても良い。あるいは、以上の実施形態においてＰＯＳ端末２００が行う処理は、ＰＯＳ端末２００と図示しないコンピューターとが協働することによって行われても良い。
【００７９】
録画コマンド及び停止コマンドは、ＰＯＳ端末２００によって送信されても良い。ＰＯＳ端末２００は、画像処理装置１００から送信される通知を受信することにより、画像処理装置１００が使用開始されたこと及び使用終了されたことを知ることができる。
【００８０】
上記の実施形態では、画像処理装置１００は、忘れ物が検知された後、操作者による操作が開始される場合に記憶装置４００の録画モードを第１のモードから第２のモードに変更させた。しかしながら、画像処理装置１００は、忘れ物が検知されたときに、記憶装置４００の録画モードを第１のモードから第２のモードに変更させても良い。すなわち、例えば、ＣＰＵ１０１は、Ａｃｔ１０の処理をＡｃｔ４〜Ａｃｔ７のうちのいずれかの処理の前に行う。
【００８１】
コインベンダー５００がＩＣカードなどの使用が可能である場合、店内システム１は、忘れ物が検知されたときに使用されていたＩＣカードなどを識別するＩＤ（identifier）などを記憶しておいても良い。そして、店内システム１は、記憶した当該ＩＤを個人の特定に用いても良い。これにより、店内システム１は、記憶したＩＤで識別されるＩＣカードが再度使用された場合、画像処理装置１００又は当該店を利用するために当該ＩＣカードを使用した利用者を、以前忘れ物をした者と同一人物であると判定する。そして、店内システム１は、同一人物であると判定したならば、以前に当該ＩＣカードが使用されたときに忘れ物が検知されたことを店員又は利用客に報知しても良い。なお、ＩＤは、画像処理装置１００又はＰＯＳ端末２００のいずれに記憶されてもよい。あるいは、ＩＤは、図示しない記憶装置などに記憶されても良い。また、以上の処理は、例えば、画像処理装置１００、ＰＯＳ端末２００、又は図示しないコンピューターのいずれかによって制御される。あるいは、以上の処理は、例えば、画像処理装置１００、ＰＯＳ端末２００、及び図示しないコンピューターのうちのいずれか複数の装置が協働することによって制御される。
【００８２】
店内システム１は、忘れ物が検知されたときに撮像装置３００によって撮像された当該操作者の顔の画像若しくは動画に基づいて算出された当該顔の特徴を示すデータを記憶しておいても良い。そして、店内システム１は、記憶した当該データを個人の特定に用いても良い。これにより、店内システム１は、当該店を利用する利用者又は画像処理装置１００を利用する利用者の顔を撮像して、当該利用者の顔が、記憶したデータに合致するか判定を行う。そして、店内システム１は、当該利用者の顔が記憶したデータに合致するならば、当該利用者は以前忘れ物をした者と同一人物であると判定する。さらに、店内システム１は、同一人物であると判定したならば、以前に忘れ物があったことを店員又は当該操作者に報知しても良い。以上の処理は、例えば、画像処理装置１００、ＰＯＳ端末２００、又は図示しないコンピューターのいずれかによって制御される。あるいは、以上の処理は、例えば、画像処理装置１００、ＰＯＳ端末２００、及び図示しないコンピューターのうちのいずれか複数の装置が協働することによって制御される。
【００８３】
店内システム１は、ベル又はスピーカーなどの、音を鳴らすことができる装置を含んでも良い。そして、店内システム１は、忘れ物が検知されたときに画像処理装置１００を操作していた操作者が店外に出ようとしたことを検知した場合、ベル又はスピーカーなどから予め定められた音などを鳴らしても良い。当該検知は、例えば、撮像装置３００によって撮像された動画を解析することによって行う。このようにすることで、当該音を聞いた店員が、忘れ物が発生していること及び当該忘れ物の持ち主が店外に出ようとしていることを知ることができる。また、当該操作者、すなわち忘れ物の持ち主が、忘れ物をしていることに気付きやすい。以上の処理は、例えば、画像処理装置１００、ＰＯＳ端末２００、又は図示しないコンピューターのいずれかによって制御される。あるいは、以上の処理は、例えば、画像処理装置１００、ＰＯＳ端末２００、及び図示しないコンピューターのうちのいずれか複数の装置が協働することによって制御される。
【００８４】
店内システムは、ＰＯＳ端末２００に代えて、ＰＯＳシステム上の端末ではない電子キャッシュレジスターなどの端末装置を含んでいても良い。
店内システムは、図書館などの、商店以外の施設に設置されても良い。この場合、店内システムは、ＰＯＳ端末に代えて、当該施設の職員などが操作するためのＰＣ又は専用端末などを含む。当該ＰＣ又は専用端末は、端末装置の一例である。
【００８５】
画像処理装置は、画像形成部を含まないものであっても良い。すなわち、画像処理装置は、スキャナーなどの、画像の読取を行う装置であっても良い。また、画像処理装置は、画像読取部を含まないものであっても良い。すなわち、画像処理装置は、プリンターなどの、画像形成を行う装置であっても良い。
【００８６】
上記の実施形態では、記憶装置４００が第１のモード及び第２のモードの少なくとも２つのモードで動作するとした。しかしながら、撮像装置３００が少なくとも２つのモードで動作しても良い。すなわち、撮像装置３００は、例えば、第１のモードでは撮像を行わずに第２のモードでは撮像をおこなう。あるいは、撮像装置３００は、例えば、第２のモードの方が、第１のモードよりも出力する動画データのビットレートが小さくなるように撮像を行う。
【００８７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
１…店内システム、１００…画像処理装置、１０１，２０１…ＣＰＵ、１０２，２０２…メインメモリ、１０３，２０３…補助記憶デバイス、１０４，２０４…通信インターフェース、１０５，２０５…入力デバイス、１０６，２０６…表示デバイス、１０７…画像形成部、１０８…画像読取部、１０９…リーダーライター、１１０，２０７…バス、１２１…原稿台、１２２…カバー、１２３…原稿送り装置、１２４…ＡＤＦ給紙トレイ、１２５…ＡＤＦ排紙トレイ、１２６…操作パネル、１２７…給紙トレイ、１２８…排紙トレイ、１２９…中継装置、１３０…フィニッシャー、１３１…フィニッシャー排紙トレイ、２００…ＰＯＳ端末、３００…撮像装置、４００…記憶装置、５００…コインベンダー、６００…ハンディターミナル、Ａ１、Ａ２…領域、ＳＣ１…報知画面、ＳＣ２…状態画面
【図１】
2018128989.tif 000003
【図２】
2018128989.tif 000004
【図３】
2018128989.tif 000005
【図４】
2018128989.tif 000006
【図５】
2018128989.tif 000007
【図６】
2018128989.tif 000008
【図７】
2018128989.tif 000009